(57)【要約】【目的】引き戸の走行方法および装置について、最少限の操作力で簡易且つ的確な開閉操作を実現し、衝突損傷などを有効に回避して耐用性の高い引き戸機構を提供する。【構成】出入口頂部に設けたレール部体３により開閉戸部体１０を移動操作する際にレール部体３上を移動する係合部体に対しレール部体３との間に介装される可曲性条材５を介在し、開閉戸部体１０に作用する開閉操作者による移動操作力を可曲性条材５に対する係合部体のスリップとして解放させる。【選択図】      図２
2005248610.tif 000002
【特許請求の範囲】
【請求項１】
構築物自体または構築物内仕切壁における出入口に対し開閉戸部体を設けるに当って、前記出入口の頂部に設けたレール部体により上記開閉戸部体を移動操作せしめると共に前記レール部体上を移動する係合部体に対し該レール部体との間に介装される可曲性条材を介在せしめ、前記開閉戸部体に作用する開閉操作者の移動作用力を該可曲性条材に対する係合部体のスリップとして解放せしめることを特徴とした引き戸の走行方法。
【請求項２】
構築物自体または構築物内仕切壁における出入口に対して設けられた開閉戸部体を前記出入口上に設けたレール部体に対し前記開閉戸部体に配設された複数の吊止部材における各係合部体によりそれぞれ走行せしめ、しかもそれら複数の吊止部材における何れか１つに可曲性条材を介装したスリップ部材を設けて開閉戸部体に作用する開閉操作力をスリップさせるようにしたことを特徴とする引き戸の走行方法。
【請求項３】
構築物自体または構築物内仕切壁における出入口に対して設けられた開閉戸部体を前記出入口上に設けたレール部体に対し該開閉戸部体に配設された複数の吊止部材における係合部体を係合させて走行せしめ、しかも前記吊止部材に配設された可曲性条材を前記係合部体の係合溝幅方向に横断せしめ、該係合溝に嵌合した前記係合部体によって開閉戸に作用する引戸操作力の影響を回避するようにしたことを特徴とする引き戸の走行方法。
【請求項４】
構築物自体または構築物内仕切壁における出入口に対して開閉戸部体を設けるに当って、前記出入口の頂部に設けたレール部体により前記開閉戸部体を吊止せしめ、該開閉戸部体の頂部両端側に配設した係合部体により前記レール部体に係合せしめ、しかも前記係合部体の下部周側に前記レール部体との間に介装すべき摩擦条材を上記係合部体の軸方向に沿った状態で張設したことを特徴とする引き戸の走行装置。
【請求項５】
転子状係合部体その他の走行部体に対する取付軸に可曲性条材取付部の形成された取付板を同軸として取付け、該可曲性条材取付部に吊止部体に配設された可曲性条材の先端部を連結し、該可曲性条材の基端部にコイル状弾性材を設けたことを特徴とする請求項４に記載の引き戸の走行装置。
【請求項６】
開閉戸部体の頂部に構築物における出入口頂部に設けられたレール部体と係合する係合部体を設け、該係合部体に前記出入口頂部に設けられたレール部体と係合する溝部を形成し、前記回転部体の回転軸に配設した軸着板に該回転部体の周面と接合する可曲性条材を連結し、該可曲性条材に前記レール部体を接合させてドア走行を制動するようにしたことを特徴とする引き戸の走行装置。
【請求項７】
可曲性条材が長さ方向においてコイルばねなどの弾性材に連結されて該条材の長さ方向における引張作用が具備され、係合部体の側面および周面の何れか一方または双方に対し安定状態に接合設定されたことを特徴とする請求項６に記載の引き戸の走行装置。
【請求項８】
引き戸の底部と構築物における床面との間にレールないし溝部を形成しないで平坦な床面のみとし、歩行ないし通行や清掃の容易化を図ったことを特徴とする請求項４または５の何れか１つに記載の引き戸の走行装置。
【発明の詳細な説明】
【技術分野】
【０００１】
本発明は引き戸の走行方法およびその装置に係り、引き戸の好ましい走行方法を提供すると共にその装置を提供し、摩耗ないし摩擦が頗る僅少で耐用性などを充分に確保せしめ、通行者等による最少限的引き戸操作力によって簡易且つ的確な開閉操作を行わしめ、引き戸の柱材などに対する衝突時の激しい衝撃音発生を的確に防止すると共に引き戸や柱材などにおける衝突損傷などを有効に回避して静穏な開閉操作を行わせることができ、従来の敷居やレールなどとの摩擦摺動を殆んど無視することが可能で、耐用性の高い引き戸機構を提供することのできる引き戸走行方法およびその装置を提供しようとするものである。
【背景技術】
【０００２】
住宅、事業所その他の建築物等においては仕切壁などの区劃壁を形成することが一般的であり、またそのような区劃壁に居住者その他の人員や器物、機器あるいは車輌などが通行ないし出入する出入部を形成することが必要であり、そうした出入口などにおいては引き戸その他の開閉部体を設けて該出入口を一般的に閉鎖状態とすることが通常である。即ち開閉部体によって一般的に閉塞状態を保持し、人員その他が通過するときにのみ開披口を形成することが室内の如き仕切られた空間における雰囲気ないし温度条件を確保することが室内などの雰囲気条件を維持する上において好ましい。
【０００３】
ところで上記したような出入口などにおける開閉部体としては開き戸方式と引き戸方式とがあるが、開き戸は枢着された取付け基端部を中心として戸部体が少なくとも９０°、場合によっては１８０°までの範囲の回転をなすことが必要であり、前記区劃壁によって仕切られた建築部内における物品その他の配設ないし収容のための利用空間が該回転範囲によって阻害される不利を有しており、引き戸方式のものは充分な通過口を形成し得るに拘わらず、戸部体の開閉が囲壁面に沿った移動となるので室内空間などを殆んど阻害することなく、その利用上好ましい設備となる。
また、任意の位置で自動ドアの開閉動作を停止させることに関しては、センサーを用いて移動接近する障害物を感知して衝突を防止する安全装置を提案するものとして下記の如きものが存在している。
【特許文献１】特開２００１−３２６２５号公報
【発明の開示】
【発明が解決しようとする課題】
【０００４】
然し、この引き戸方式の設備は建造物の出入口の幅方向にそって開閉戸部体の全体がスライドされることが必要で、戸部体全重量の平行移動操作が求められることとなるから、その底部に設けられる敷居上の移動機構ないし操作力が大とならざるを得ず、そうした移動機構としても床面におけるレールないし案内溝を基本として移動操作されることが本質的作動であって、開閉戸部体の上部は単に鴨居のような戸部体上端部の受入溝とされるようなことが多い。即ちこの場合においては下部の床面における敷居部分や引き戸底部の戸車のような係合走行手段が戸部体走行の主体とならざるを得ない。
【０００５】
ところがこのような戸部体底部における走行構造は敷居などの戸部体底部との係合走行構造が主体となるもので、このような戸部体底部における戸部体走行構造は建築物床面における凹凸係合構造となり、該凹凸構造が床面における通行者および搬送者などの走行ないし移送手段などの移動操作上における支障部とならざるを得ない不利を伴うこととなる。特に凹溝構造であることから床面における塵芥などの集合部となり、清掃作業上において敷居部体、特にその凹入した溝部などが粉塵その他の貯蔵収納部となり、その取出しが困難となるので工数の多い作業とならざるを得ない欠点を有することとなる。また一般的にドアの開閉については相当の摩擦作用が不可避であり、摩耗や損傷なども高いこととならざるを得ない不利がある。
【０００６】
しかも上記敷居などは近年におけるコンクリート構造建築物においても床面から突出した部材となるので施工上難点とならざるを得ず、また病院その他のような公共施設等においては用具や材料あるいは患者ないし食事用材料または器材などを車体を採用して搬び、また定期的に清掃するような場合においても材料や器材などを車体を利用して搬ぶことが多く、このような場合において室内や仕切壁などの境界部において敷居材に相当した突出部材が配設されることが一般的であるが、斯うした床面における突出材は上記したような車体を利用した作業において通行を阻害し、室内利用を困難化する不利がある。
【課題を解決するための手段】
【０００７】
本発明は上記したような従来技術における課題を解決することについて検討を重ねて創案されたものであって、走行方法およびその装置より成り、以下の如くである。
【０００８】
（１）  構築物自体または構築物内仕切壁における出入口に対し開閉戸部体を設けるに当って、前記出入口の頂部に設けたレール部体により上記開閉戸部体を移動操作せしめると共に前記レール部体上を移動する係合部体に対し該レール部体との間に介装される可曲性条材を介在せしめ、前記開閉戸部体に作用する開閉操作者の移動作用力を該可曲性条材に対する係合部体のスリップとして解放せしめることを特徴とした引き戸の走行方法。
【０００９】
（２）  構築物自体または構築物内仕切壁における出入口に対して設けられた開閉戸部体を前記出入口上に設けたレール部体に対し前記開閉戸部体に配設された複数の吊止部材における各係合部体によりそれぞれ走行せしめ、しかもそれら複数の吊止部材における何れか１つに可曲性条材を介装したスリップ部材を設けて開閉戸部体に作用する開閉操作力をスリップさせるようにしたことを特徴とする引き戸の走行方法。
【００１０】
（３）  構築物自体または構築物内仕切壁における出入口に対して設けられた開閉戸部体を前記出入口上に設けたレール部体に対し該開閉戸部体に配設された複数の吊止部材における係合部体を係合させて走行せしめ、しかも前記吊止部材に配設された可曲性条材を前記係合部体の係合溝幅方向に横断せしめ、該係合溝に嵌合した前記係合部体によって開閉戸に作用する引戸操作力の影響を回避するようにしたことを特徴とする引き戸の走行方法。
【００１１】
（４）  構築物自体まはた構築物内仕切壁における出入口に対して開閉戸部体を設けるに当って、前記出入口の頂部に設けたレール部体により前記開閉戸部体を吊止せしめ、該開閉戸部体の頂部両端側に配設した係合部体により前記レール部体に係合せしめ、しかも前記係合部体の下部周側に前記レール部体との間に介装すべき摩擦条材を上記係合部体の軸方向に沿った状態で張設したことを特徴とする引き戸の走行装置。
【００１２】
（５）  転子状係合部体その他の走行部体に対する取付軸に可曲性条材取付部の形成された取付板を同軸として取付け、該可曲性条材取付部に吊止部体に配設された可曲性条材の先端部を連結し、該可曲性条材の基端部にコイル状弾性材を設けたことを特徴とする前記（４）項に記載の引き戸の走行装置。
【００１３】
（６）  開閉戸部体の頂部に構築物における出入口頂部に設けられたレール部体と係合する係合部体を設け、該係合部体に前記出入口頂部に設けられたレール部体と係合する溝部を形成し、前記回転部体の回転軸に配設した軸着板に該回転部体の周面と接合する可曲性条材を連結し、該可曲性条材に前記レール部体を接合させてドア走行を制動するようにしたことを特徴とする引き戸の走行装置。
【００１４】
（７）  可曲性条材が長さ方向においてコイルばねなどの弾性材に連結されて該条材の長さ方向における引張作用が具備され、係合部体の側面および周面の何れか一方または双方に対し安定状態に接合設定されたことを特徴とする前記（６）項に記載の引き戸の走行装置。
【００１５】
（８）  引き戸の底部と構築物における床面との間にレールないし溝部を形成しないで平坦な床面のみとし、走行ないし通行や清掃の容易化を図ったことを特徴とする前記（４）項または（５）項の何れか１つに記載の引き戸の走行装置。
【発明の効果】
【００１６】
構築物自体または構築物内仕切壁における出入口に対し開閉戸部体を設けるに当って、前記出入口の頂部に設けたレール部体により上記開閉戸部体を移動操作せしめると共に前記レール部体上を移動する係合部体に対し該レール部体との間に介装される可曲性条材を介在せしめ、前記開閉戸部体に作用する開閉操作者の移動作用力を該可曲性条材に対する係合部体のスリップとして解放せしめることによって、上記開閉戸部体を円滑且つ適正に移動操作せしめ、しかも前記レール部体上を移動する係合部体に対し該レール部体との間に介在される可曲性条材が作用し、前記開閉戸部体に作用する開閉操作者の移動作用力を該可曲性弾性材上におけるロール部体のスリップとして解放せしめ、従ってまたこのようなスリップ解放により開閉操作者による移動作用力の影響を受けることの少ない開閉戸部体の作用を得しめる。また前記開閉戸部体に作用する開閉操作者の移動作用力を該可曲性弾性材上におけるロール部体のスリップとして解放せしめ、またこのような解放により開閉操作者による移動作用力の影響を受けることの少ない開閉戸部体の作用を得しめる。
【００１７】
構築物自体または構築物内仕切壁における出入口に対して設けられた開閉戸部体を前記出入口上に設けたレール部体に対し前記開閉戸部体に配設された複数の吊止部材における各係合部体によりそれぞれ走行せしめ、しかもそれら複数の吊止部材における何れか１つに可曲性条材を介装したスリップ部材を設けて開閉戸部体に作用する開閉操作力をスリップさせるようにしたことにより、開閉戸部体を操作する通行者の開閉操作条件の差を適宜にスリップ作用によって解放し、安定且つ一定状態の開閉戸部体を前提とした整然たる作動ないし機能を確保せしめる。つまり本発明による開閉戸部体の作動は明らかに通行者による個人差ないし速度または通行条件による差をもった戸部体の開閉が行われるものであるのにそうした開閉作動条件の差による影響を受けることの少ない安定な作用ないしシール条件を形成せしめる。
【００１８】
転子状係合部体その他の走行部体に対する取付軸に可曲性条材取付部の形成された取付板を同軸として取付け、該可曲性条材取付部に吊止部体に配設された可曲性条材の先端部を連結し、該可曲性条材の基端部にコイル状弾性材を設けたことによっても前記したところと同様に引戸開閉操作者などによる開閉戸操作による影響を回避した作動ないしシールを形成せしめる。
【００１９】
開閉戸部体の頂部に構築物における出入口頂部に設けられたレール部体と係合する係合部体を設け、該係合部体に前記出入口頂部に設けられたレール部体と係合する溝部を形成し、前記回転部体の回転軸に配設した軸着板に該回転部体の周面と接合する可曲性条材を連結し、該可曲性条材に前記レール部体を接合させてドア走行を制動するようにしたことにより機構的に上記同様の作用を得しめる。
【００２０】
可曲性条材が長さ方向においてコイルばねなどの弾性材に連結されて該条材の長さ方向における引張作用が具備され、係合部体の側面および周面の何れか一方または双方に対し安定状態に接合設定されることとなり、上述したような作用を設備的に的確に確保せしめる。
【００２１】
引き戸の底部と構築物における床面との間にレールないし溝部を形成しないで平坦な床面のみとし、走行ないし通行や清掃の容易化を図ったことによって構築物の床面施工を簡便容易化し、しかも上記したような本発明の有利性を充分に発揮することができる。
【００２２】
可曲性条材が長さ方向においてコイルばねなどの弾性材に連結されて該条材の長さ方向における引張作用が具備され、係合部体の側面および周面の何れか一方または双方に対し安定状態に接合設定されたことによって可撓性条材が直線状を保持した状態を保持し、他物に引掛るようなことをなからしめ、取付部体に対し整然と添設された状態を確保し移動操作を整然となし円滑化せしめる。
【００２３】
引き戸の底部と構築物における床面との間にレールないし溝部を形成しないで平坦な床面のみとし、走行ないし通行や清掃の容易化を図ったことによって床面の構造を単純且つ簡易化すると共に常に円滑且つ容易に床面美化を図らしめる。
【発明を実施するための最良の形態】
【００２４】
本発明によるものの具体的な実施態様は図１から図４に示す如くであって、本発明の設備が採用される天井面には走行部３ｂを有するレール部体３が設定され、その走行部3ｂに対し引き戸１０が該部体１０の上部両端側に取付けられた取付部体１，１における転子２により走行可能に設けられている。転子２は取付座１，１の折立部１ａに対して軸着されたものであるが、このような転子２およびそれに関連した部材については本発明における枢要な特質性を備え、即ち別に図２および図３、図４においても夫々示されている如くである。
【００２５】
即ち、転子２自体は前記走行部３ｂに対する係合溝２ａを備える程度であるが、その取付軸９の図３に示すような前面側には可動板６が同軸状としてワッシャ１２をも介して嵌装され、該可動板６の一側に突出して形成された連結突部７には適宜に可撓性をもった条材５ａが連結され、該可撓性条材５ａは図３に示すような状態から図２に示すように転子２のレール部体３のレール部３ｂと転子２の係合溝２ａとそれに連続した側縁部２ｂを経て取付部体1において転子２の取付軸２ａと平行状に図４および図２に示す如く開口された通孔１ａより引出され、取付部体１の底部における図２に示すような連結孔７との間にコイルばね５を用いた強力な弾性条件下に連結されている。即ち可撓性条材５ａは繊維質であるから図２に示すような狭い屈曲した条件下においても適切に設定し得るが、コイルばね５による強力且つ充分な引張作用力を受けることによりその図２に示すような狭く屈曲した設定条件下においても適切に介装設定され、またそうした設定条件下でコイルばね５による有効な引張作用力を受けることによりコイルばね５による調整条件下で図２、図３に示すように自由部分では直線状となり、安定した設定条件を形成確保する。
【００２６】
前記した可撓性条材５ａについては図示されるようにできるだけ小径材であることが部体２，３の周面ないし間隙に設定位置せしめることから好ましく、しかも建築物の一部に準ずるものであるから耐用性、強度性に優れることが適切である。本発明者等はこのような事情から該条材５ａとしてカーボン繊維材の如きを用いることが実験的に好ましく、即ち細径材であっても、この種引き戸に用いて数年程度の耐用性を得られるものと推定され、またその交換修繕も容易である。その他の構成部材については一般的にそれ以上の耐用性を有していることは明かである。
【００２７】
なお、上記した可撓性条材５ａ、コイルばね５、可動板６について本発明者等が種々の実物を準備して施用検討した結果は、図１に示すように引き戸１０の幅方向において転子部体２を複数個配設することが安定な引き戸１０の操作上不可欠であるに拘わらず、図２に示すような弾性条材５ａ、コイルばね５および可動板６については実際の作動結果が乱れることがあり、（微妙なバランスなどによってか）好ましい作動の得られない傾向が認められる。つまり上記可撓性条材５ａ、コイルばね５、可動板６については図１に示したように引き戸１０の幅方向において複数個配設された取付座１，１の一方だけに採用することによって本発明の効果が適切に得られるが、双方の取付座１，１においてそれら可撓性条材５ａ、コイルばね５や可動板６を重複して設けると、それらの効果が乱れ易く、本発明の目的が適切に得られない傾向が残るが図示実施態様のように簡易な構成で済むのであるから工業的価値がむしろ大きいことは明かである。
【００２８】
従って図示する実施態様のようにそれらの部材５，5ａ，６は一方の転子部体２において採用すればよく（左右何れかの側に採用しただけでも充分な効果が得られる）、双方に採用することは（微妙なバランスなどに原因してか）本発明の作用効果を必ずしも適切に得難い傾向が一方だけで済むのでむしろ明かに有利である。
【産業上の利用可能性】
【００２９】
以上説明したような本発明によるならば、構築物自体または構築物内仕切壁における出入口に設けられる開閉戸部体として床面における敷居やレール部材を設けることなく、出入口の頂部に設けたレール部体により上記開閉戸部体を平易に移動せしめることとなり、従って従来のこの種開閉戸部体において不可欠とされている床面の敷居ないしレールあるいは案内溝の如きをまったく必要とせず、このような開閉戸部体に関する建築物全般の施工を容易とし、また床面の清掃ないし床面利用上の煩雑さを適切に解消するものであり、しかも通行すべき歩行者等による最少限的引き戸操作力によって簡易且つ的確に開閉操作せしめ、衝撃音発生などを的確に防止し、耐用性の高い機構を提供し得るものである。例えば本発明が和室に採用されることによって一般的な引き戸または襖が同様に採用されて空間を区劃し得るものであっても歩行者面は単に畳が敷きつめられただけでよいことになり、又洋室の場合にあっても同じく仕切戸が採用された条件下で床面は絨毯（じゅうたん）などを単に敷きつめただけでよいことになるから建築条件が大幅に変更されることとなり、その効果が大きいことは明かである。
【図面の簡単な説明】
【００３０】
【図１】本発明による引き戸の全般的構成を上方から見た斜面図である。
【図２】図１に示したものの戸部体上端部とその走行機構についての部分的な部分切欠側面図である。
【図３】本発明における溝つき転子部分についての正面側から見た斜面図である。
【図４】図３に示したものの背面側から見た斜面図である。
【符号の説明】
【００３１】
１  取付座
１ａ  折立部
２  転子部体
２ａ  係合溝
２ｂ  側縁部
３  レール部材
３ａ  レール部
３ｂ  折立部
４  ベース板部
４ａ  固定部
５  コイルばね
５ａ  弾性条材
６  可動板
７  連結孔
８  レール
９  軸子
１０  引き戸
【図１】
2005248610.tif 000003
【図２】
2005248610.tif 000004
【図３】
2005248610.tif 000005
【図４】
2005248610.tif 000006